(57)【特許請求の範囲】
【請求項１】
中空の基台と、排気ファンが内設されるとともに前記基台の中空部に吸込口が開口された排気室と、前記基台上に立設された下方側に穀類供給用のホッパを有するとともに上部に貯留タンクを有する殻体を備え、前記殻体内に同心状に配設された選別網体および揚穀螺旋体を相対回転させることにより前記ホッパから供給される穀類を揚穀する間に良穀と屑粒とに選別して前記良穀を前記貯留タンクに貯留するとともに前記屑粒を機外へ排出するように構成され、さらに、前記選別網体の網目を屑粒とともに通過する異物を排出するための排塵ダクトを前記基台の中空部を介して前記排気室に連通するように構成された縦型穀類選別機において、
前記排気室には前記排気ファンの作動により前記吸込口から吸引した空気や異物を機外へ排気するための排気ダクトが接続され、該排気ダクトを縦型穀類選別機本体よりも高く延設し、その先端に設けられた湾曲した放出部を旋回可能とし、前記貯留タンクの上方壁部に異物を除去するための吸引口を設け、該吸引口を吸引ダクトを介して前記排気ダクトに連通し、前記排気ダクト内を流れる空気流によって前記貯留タンク内に上方へ流れる分離気流を生じさせ、良穀中に混在する異物を分離し前記排気ダクトを介して機外へ放出しうるようにしたことを特徴とする縦型穀類選別機。
【請求項２】
貯留タンクの吸引口を排気ダクトに連通する吸引ダクトと前記排気ダクトとの連結部分に風向調整板を前記排気ダクトの内方に突設したことを特徴とする請求項１記載の縦型穀類選別機。
【請求項３】
貯留タンクの吸引口の下方部位に良穀を下方へ分散させて落下させるための分散板を配設し、前記貯留タンクの下方部分に空気流入窓を設けたことを特徴とする請求項１または２記載の縦型穀類選別機。
【発明の詳細な説明】
【０００１】
【発明の属する技術分野】
本発明は、穀類を良穀と屑粒とに選別するとともに良穀や屑粒に混在する穂芒、わら屑、ほこり等の異物を除去することができる縦型穀類選別機に関するものである。
【０００２】
【従来の技術】
穀類に混在する穂芒、わら屑、ほこり等の異物を除去するとともに穀類を良穀と屑粒とに選別する縦型穀類選別機としては、特開平８−２７６１５６号公報に開示された縦型穀類選別機が知られている。
【０００３】
この種の縦型穀類選別機は、図６の（ａ）および（ｂ）に図示するように、ベース１０１上に配設された中空の基台１０２上に、図示しない選別網体と揚穀螺旋体を同心状に内設した殻体１０３が立設されており、殻体１０３内で選別網体と揚穀螺旋体を相対回転させることにより殻体１０３の下方に設けられたホッパ１０６から供給される穀類を上方へ揚穀する間に良穀と屑粒とに選別し、良穀を上方に設けられた貯留タンク１０４に貯留するとともに、屑粒は屑粒排出口１０８より機外へ排出できるように構成されている。
【０００４】
回転自在に配設された排気ファン（不図示）を備えた略円筒状の排気室１０９は、排気ダクト１１０に接続する吐出口を有する吐出側が基台１０２の側壁から外方へ突出するとともに図示しない吸込口を有する吸込側が基台１０２内に挿入された状態で中空の基台１０２内に配設され、この排気室１０９は、排気ファン（不図示）がモータ１１１によって伝動機構１１２を介して回転駆動されると、前記吸込口より基台１０２内の空気を吸引して前記吐出口に接続された排気ダクト１１０から機外へ排気できるように構成されている。
【０００５】
縦型穀類選別機に供給される穀類に混在するわら屑、ほこり等の異物を除去するために、内部に穀類をジグザグ状に落下させる複数の流下板（不図示）が設けられた唐箕１０５がホッパ１０６上に配設され、この唐箕１０５は、吸引ダクト１０７により基台１０２の内部を介して排気室１０９に連通されている。また、殻体１０３内で選別網体から屑粒とともに放出される異物を除去するために、選別網体の外側に基台１０２の内部に連通する排塵ダクト（不図示）を配設し、さらに、貯留タンク１０４に貯留される良穀中に混在する異物を除去するために、貯留タンク１０４を別の排塵ダクト（不図示）を介して基台１０２内に連通している。これらの構成により、穀類や選別された良穀、屑粒中に混在する異物をそれぞれの箇所で吸引して、基台１０２内から排気室１０９を経て排気ダクト１１０により機外へ放出するようにしている。
【０００６】
以上のように構成された従来の縦型穀類選別機において、穀類が唐箕１０５内に投入されると、穀類は、唐箕１０５内において複数の流下板に沿ってジグザグ状に落下する間に、穀類に混在するわら屑、ほこり等の異物が分離され、これらの異物は、吸引ダクト１０７から基台１０２内の排気室１０９に吸引され、さらに、排気室１０９を経て排気ダクト１１０から機外へ放出される。他方、穀類は、唐箕１０５からホッパ１０６を介して殻体１０３内へ導入され、そして相対回転する選別網体および揚穀螺旋体により上方へ揚穀される間に良穀と屑粒とに選別され、良穀が貯留タンク１０４に貯留されるとともに屑粒は屑粒排出口１０８より機外へ排出される。このとき、屑粒とともに選別網体から放出されるわら屑やほこり等の異物は殻体１０３内に設けられた排塵ダクト（不図示）を介して基台１０２内の排気室１０９に吸い込まれ、さらに、貯留タンク１０４内に貯留される良穀中に混在する異物も排塵ダクト（不図示）を介して基台１０２内の排気室１０９に吸い込まれ、これらの異物は排気室１０９に接続された排気ダクト１１０から機外へ放出される。そして、貯留タンク１０４に貯留される良穀は、貯留タンク１０４の排出口１０４ａを開口することにより排出され、良穀の袋詰めが行なわれている。
【０００７】
【発明が解決しようとする課題】
上記のような従来技術においては、穀類や良穀等に混在する穂芒、わら屑、ほこり等の異物を吸引分離して排気ダクトを介して機外へ放出しているけれども、良穀や屑粒中に混在する異物を除去するためのそれぞれの排塵ダクトを排気室に連通する際にそれらの排塵ダクトを殻体内に配設しているために、殻体の容量が必要以上に大きくなる問題点があり、さらに、異物を機外へ放出する排気ダクトは縦型穀類選別機の側方に固設され、その放出部も一定の方向に設定されているために、異物等を含んだ空気を放出する方向の領域では作業をすることができず、作業者の作業範囲が限定され、さらには縦型穀類選別機の設置場所や作業場所の自由度が限定され、作業効率や作業環境に悪影響を及ぼしていた。
【０００８】
そこで、本発明は、上記従来技術の有する問題点に鑑みてなされたものであって、穀類を良穀と屑粒とに選別するとともに選別された良穀や屑粒中に混在する異物を効率よく除去し、さらに異物等を放出する排気ダクトの放出部の向きを適宜選択的に設定することができ、作業環境を良好なものとしかつ作業効率を向上させることができる縦型穀類選別機を提供することを目的とするものである。
【０００９】
【課題を解決するための手段】
上記の目的を達成するために、本発明の縦型穀類選別機は、中空の基台と、排気ファンが内設されるとともに前記基台の中空部に吸込口が開口された排気室と、前記基台上に立設された下方側に穀類供給用のホッパを有するとともに上部に貯留タンクを有する殻体を備え、前記殻体内に同心状に配設された選別網体および揚穀螺旋体を相対回転させることにより前記ホッパから供給される穀類を揚穀する間に良穀と屑粒とに選別して前記良穀を前記貯留タンクに貯留するとともに前記屑粒を機外へ排出するように構成され、さらに、前記選別網体の網目を屑粒とともに通過する異物を排出するための排塵ダクトを前記基台の中空部を介して前記排気室に連通するように構成された縦型穀類選別機において、前記排気室には前記排気ファンの作動により前記吸込口から吸引した空気や異物を機外へ排気するための排気ダクトが接続され、該排気ダクトを縦型穀類選別機本体よりも高く延設し、その先端に設けられた湾曲した放出部を旋回可能とし、前記貯留タンクの上方壁部に異物を除去するための吸引口を設け、該吸引口を吸引ダクトを介して前記排気ダクトに連通し、前記排気ダクト内を流れる空気流によって前記貯留タンク内に上方へ流れる分離気流を生じさせ、良穀中に混在する異物を分離し前記排気ダクトを介して機外へ放出しうるようにしたことを特徴とする。
【００１０】
そして、本発明の縦型穀類選別機においては、貯留タンクの吸引口を排気ダクトに連通する吸引ダクトと前記排気ダクトとの連結部分に風向調整板を前記排気ダクトの内方に突設することが好ましい。
【００１１】
さらに、本発明の縦型穀類選別機においては、貯留タンクの吸引口の下方部位に良穀を下方へ分散させて落下させるための複数の分散板を配設し、前記貯留タンクの下方部分に空気流入窓を設けることが好ましい。
【００１２】
【作用】
本発明の縦型穀類選別機によれば、殻体内に同心状に配設された選別網体および揚穀螺旋体の相対回転により穀類を揚穀する間に良穀と屑粒とに選別するとともに良穀や屑粒中に混在する穂芒、わら屑、ほこり等の異物を吸引分離して除去することができ、良穀や屑粒のそれぞれの品質を向上させることができる。さらに、良穀や屑粒中に混在する異物を分離して機外へ放出するための排気室に接続した排気ダクトを縦型穀類選別機本体の高さよりも高く延設しかつその上端の湾曲した放出部を排気ダクトの直立部に対して旋回自在とすることにより、穀類等に混在している異物の放出方向を作業態様や作業環境に応じて適宜の方向に設定することができ、作業環境を良好なものとしかつ作業効率を向上させることができる。
【００１３】
また、貯留タンクの内部を吸引ダクトを介して排気ダクトに連通することにより、排気ダクト内を流れる空気流を利用して貯留タンク内に上方へ流れる分離気流を生じさせ、良穀中に混在する異物を効率よく分離し放出することができ、簡単な構造で良穀の品質を向上させることができる。
【００１４】
【発明の実施の形態】
本発明の実施の形態を図面に基づいて説明する。
【００１５】
図１は本発明の縦型穀類選別機を図示する模式平面図であり、図２は模式正面図であり、図３は一部を破断して図示する模式側面図である。そして、図４は図１に図示する縦型穀類選別機におけるＡ−Ａ線に沿った断面図であり、図５は図１に図示する縦型穀類選別機におけるＢ−Ｂ線に沿った断面図である。
【００１６】
本発明の縦型穀類選別機は、ベース１上に配設された中空の基台２と、基台２上に立設され、上部に貯留タンク４が設けられ下方部にホッパ５が設けられるととも選別網体１２と揚穀螺旋体１３を回転自在に内設した殻体３と、基台２内に配設され排気ダクト６に接続された排気室７とを備えている。
【００１７】
略円筒状の排気室７は、図５に明瞭に図示するように、吐出口７ｂを有する吐出側が基台２の側壁から外方へ突出するとともに吸込口７ａを有する吸込側が基台２の中空部Ｓ内に挿入された状態で基台２の内部に配設され、排気室７の内部には、ベース１上に配置されたモータ１０（図３）により伝動機構１０ａを介して回転駆動される排気ファン８が回転自在に配設されている。そして、排気室７の吐出口７ｂには排気ダクト６が接続されており、この排気ダクト６は、上方に延長され縦型穀類選別機本体よりも高く形成された直立部６ａと、直立部６ａの上端部において旋回自在に連結された湾曲部６ｂと、湾曲部６ｂに接続された放出部６ｃとから構成されている。したがって、排気室７は、排気ファン８がモータ１０の駆動により回転駆動されると、吸込口７ａから基台２の中空部Ｓ内の空気を吸引し、吐出口７ｂを介して排気ダクト６の放出口６ｃから機外へ排気することができるように構成されている。そして、排気ダクト６の放出部６ｃは、縦型穀類選別機本体よりも上方に位置するので、図１に図示するように、直立部６ａに対して３６０度旋回させることが可能であり、わら屑やほこり等の異物を空気とともに放出する放出方向を、作業場所や作業環境等に応じて、いずれの方向にも選択的に設定することができる構造となっている。
【００１８】
基台２上に立設された殻体３は上部に貯留タンク４が設けられ下方側にホッパ５が設けられており、その殻体３内において、図４に明瞭に図示するように、基台２の天板２ａ上に上面が開放された円筒状の供給筒１６が固着されており、供給筒１６の側壁上方部位にはホッパ５のシュート５ａが連通されている。供給筒１６内に同心状に配設された誘導筒１７は、その外周面にホッパ５より導入された穀類を下方へ導くための誘導翼１７ａを有するとともに、上部開口部周縁に設けられたフランジ部１８には上方へ向けて突出する屑粒掻出し羽根１８ａが突設されており、その底板１７ｂには二出力ギアモータ１１の低速回転軸１１ａが固着されている。
【００１９】
選別網体１２は、その下縁部に形成された図示しないスリットを誘導筒１７のフランジ部１８に突設された屑粒掻出し羽根１８ａに係合させることにより誘導筒１７と一体に回転するようにフランジ部１８上に載置されており、その上端部近傍の外周面には、首振り運動しないように殻体３の上部仕切板３ｃに支軸２１ａを介して自由回転自在に支持された支持ローラ２１が当接されている。
【００２０】
そして、選別網体１２および誘導筒１７内には、外周面に螺旋翼１３ａを有する揚穀螺旋体１３が同心状に配設されており、揚穀螺旋体１３の底板１３ｂに二出力ギアモータ１１の高速回転軸１１ｂが固着されているとともにその上板１３ｃは殻体３の上面壁３ａに回転自在に支持された回転軸２２に固着されている。さらに、殻体３の上部仕切板３ｃより上方に突出する揚穀螺旋体１３の上端部外周面には、選別された良穀を貯留タンク４へ掻出するための複数の良穀掻出し羽根１９が突設されている。
【００２１】
また、殻体３内には、図４および図５に図示するように、複数の排塵ダクト１４、１４…が殻体３の各側壁に沿って選別網体１２と干渉しないように偏平に形成されて配設されており、これらの各排塵ダクト１４は、その上方部における選別網体１２に対向する面にガラリ１５が設けられているとともに、下端側は基台２の中空部Ｓに連通されている。これにより、各排塵ダクト１４は基台２の中空部Ｓを介して排気室７に連通され、穀類の選別中に選別網体１２の網目を通過した穂芒、わら屑、ほこり等の異物は、排気ファン８の作動により、ガラリ１５から排塵ダクト１４に吸い込まれて基台２内の排気室７へ吸引されるように構成されている。
【００２２】
以上のような構成により、選別網体１２および揚穀螺旋体１３が二出力ギアモータ１１の起動により相対回転すると、誘導筒１７内へ導入される穀類は選別網体１２と揚穀螺旋体１３の相互作用により揚穀され、そして、穀類が揚穀されている間に、選別網体１２の網目の大きさより粒径の小さい屑粒や異物は選別網体１２と殻体３の間の間隙部へ放出され、屑粒は下部仕切板３ｂ上に落下して下部仕切板３ｂの形成された屑粒排出口２３（図５参照）を介して機外へ排出され、前記異物は、排気ファン８の作用により、ガラリ１５より排塵ダクト１４を経て基台２の中空部Ｓ内へ吸引され、排気室７を介して排気ダクト６を通ってその放出部６ｃから機外へ放出される。他方、選別網体１２の網目を通過しない粒径の大きな良穀および異物は、上部仕切板３ｃ上に放出され、良穀掻出し羽根１９により貯留タンク４内へ向けてはじき飛ばされて貯留タンク４に貯留される。
【００２３】
良穀を貯留する貯留タンク４は、図３および図４に明瞭に図示するように、下方部に良穀を排出する排出口４ａが設けられ、上方壁部には、良穀中に混在する穂芒、わら屑、ぬか等の異物を吸引して排除するための吸引口４ｂが設けられている。そして、吸引口４ｂの下方部位には、揚穀螺旋体１３の良穀掻出し羽根１９により貯留タンク４内へはじき飛ばされてくる良穀を下方へ分散させて落下させるための複数の分散板４ｃ、４ｃ…が貯留タンク４の側壁に取り付けられており、また、貯留タンク４の側壁の下方部分には空気を流入させる空気流入窓４ｄ、４ｄが形成されている。そして、吸引口４ｂには、排気ダクト６の直立部６ａの上方の部位に連通するように吸引ダクト４ｅが接続され、吸引ダクト４ｅと排気ダクト６の連結部分には風向調整板４ｆが排気ダクト６の内方に向けて突設されている（図３参照）。
【００２４】
このように貯留タンク４の内部を吸引ダクト４ｅを介して排気ダクト６に連通することにより、排気室７の排気ファン８の作動により排気ダクト６内を上方へ流れる空気流が、吸引ダクト４ｅとの連結部に設けた風向調整板４ｆを通過するとき、吸引ダクト４ｅを介して貯留タンク４内の空気を吸引する。このように、貯留タンク４内の空気が吸引口４ｂから吸引されると同時に新たな空気が下方に設けられた空気流入窓４ｄ、４ｄから貯留タンク４内に流れ込み、貯留タンク４の内部には下方から上方の吸引口４ｂの方へ向かう空気の流れが生じる。したがって、貯留タンク４内へはじき飛ばされてくる良穀が貯留タンク４内の複数の分散板４ｃ、４ｃ…に衝突して分散されて下方に落下する際に、貯留タンク４内を上方へ流れる空気流が、良穀内に混在する穂芒、わら屑、ぬか等の異物を分離する分離気流となって異物を分離し、該分離された異物は空気とともに吸引口４ｂから吸引ダクト４ｅを介して排気ダクト６に吸引され、そして、排気ダクト６内を流れる空気とともに放出部６ｃから機外に放出される。なお、吸引ダクト４ｅと排気ダクト６の連通部に設けた風向調整板４ｆの角度を調整することにより、吸引ダクト４ｅを介して貯留タンク４内から吸引する空気の流量を調整することができる。
【００２５】
以上のような構成とすることにより、貯留タンク４内の異物を除去する排塵ダクトを殻体３内に配設することなく、さらに貯留タンク４に特別な排塵装置を個別に設けることなく、貯留タンク４に貯留される良穀中に混在する異物を効率よく除去することができ、貯留タンク４に貯留される良穀の品質を向上させることができる。
【００２６】
次に、本実施例による縦型穀類選別機の作動について説明する。
【００２７】
1.  二出力ギアモータ１１を起動して選別網体１２および揚穀螺旋体１３を相対回転させるとともに、モータ１０を起動して排気ファン８を回転させ、ホッパ５に穀類を供給すると、供給された穀類は、供給筒１６内に入り、誘導筒１７の誘導翼１７ａによって下方へ導かれて誘導筒１７の側壁下方部位に形成された図示しない導入口より誘導筒１７内へ導入される。
【００２８】
2.  誘導筒１７内へ導入された穀類は、相対回転する同心状に配設された選別網体１２および揚穀螺旋体１３の相互作用により揚穀され、その間に、選別網体１２の網目の大きさより粒径の小さい屑粒や異物は選別網体１２と殻体３の間の間隙部へ放出され、屑粒は下部仕切板３ｂ上に落下して屑粒掻出し羽根１８ａによって屑粒排出口２３を介して機外へ排出され、前記異物は、排気ファン８の作用により、ガラリ１５から排塵ダクト１４内に吸引され、そして、基台２の中空部Ｓを介して排気室７に吸引され、排気室７から排気ダクト６を介して機外へ放出される。他方、網目を通過しない粒径の大きな良穀および異物は、上部仕切板３ｃ上に放出され、良穀掻出し羽根１９により貯留タンク４内に向けてはじき飛ばされる。
【００２９】
3.  貯留タンク４内へはじき飛ばされた良穀および異物は、貯留タンク４内の複数の分散板４ｃ、４ｃ…に衝突して分散された状態で下方に落下する。このとき、貯留タンク４内において吸引口４ｂの方へ上方に流れる分離気流が良穀中に混在している穂芒、わら屑、ぬか等の異物を良穀から分離し、該分離された異物は吸引口４ｂから吸引ダクト４ｅを介して排気ダクト６側に吸引され、排気ダクト６の放出部６ｃから機外へ放出される。これにより、異物が除去された良穀が貯留タンク４内に貯留される。そして、貯留タンク４内に貯留された良穀は、排出口４ａに設けた図示しないシャッタを開くことにより排出口４ａから排出され、品質の向上した良穀の袋詰め等をすることができる。
【００３０】
以上説明したように、排気ファン８を備えた排気室７の吐出口７ｂに接続する排気ダクト６を縦型穀類選別機本体よりも高く上方へ延設して、排気ダクト６の湾曲部６ｂと放出部６ｃを３６０度旋回しうるようにしたことにより、縦型穀類選別機の作業環境や作業態様に応じて、穀類等に混在している穂芒、わら屑、ほこり等の異物の放出方向を適宜設定することができ、作業者の作業環境を良好なものとしかつ作業効率を向上させることができる。
【００３１】
また、殻体３内の選別網体１２から放出される屑粒中に混在する異物を複数の排塵ダクト１４、１４…を介して吸引して排気室７および排気ダクト６を介して機外へ放出するとともに、この排気ダクト６内を流れる空気流を利用して貯留タンク４内に上方へ流れる分離気流を生じさせ、選別された良穀中に混在する異物を貯留タンク内で分離しうるように構成したことにより、貯留タンクに個別の排塵装置を設けることなく、簡単な構造で、良穀中に混在する異物を除去することができ、良穀および屑粒のそれぞれの品質を向上させることができる。
【００３２】
【発明の効果】
上述したように、本発明によれば、排気ダクトを縦型穀類選別機本体の高さよりも高くしてその上端の湾曲した放出部を排気ダクトの直立部に対して旋回自在としたことにより、穀類等に混在している穂芒、わら屑、ほこり等の異物の放出方向を作業態様や作業環境に応じて適宜の方向に設定することができ、作業環境を良好なものとしかつ作業効率を向上させることができる。
【００３３】
さらに、貯留タンクの内部を吸引ダクトを介して排気ダクトに連結することにより、排気ダクト内を流れる空気流によって貯留タンク内に上方へ流れる分離気流を生じさせ、選別された良穀中に混在する異物を分離して吸引することができ、簡単な構造で良穀の品質を向上させることができる。
【図面の簡単な説明】
【図１】本発明の縦型穀類選別機の一実施例を図示する模式平面図である。
【図２】本発明の縦型穀類選別機の一実施例を図示する模式正面図である。
【図３】本発明の縦型穀類選別機の一実施例を部分的に破断して図示する模式側面図である。
【図４】図１に図示する縦型穀類選別機におけるＡ−Ａ線に沿った断面図である。
【図５】図１に図示する縦型穀類選別機におけるＢ−Ｂ線に沿った断面図である。
【図６】従来の縦型穀類選別機を図示し、（ａ）は模式正面図であり、（ｂ）は模式側面図である。
【符号の説明】
１    ベース
２    基台
３    殻体
４    貯留タンク
４ａ    排出口
４ｂ    吸引口
４ｃ    分散板
４ｄ    空気流入窓
４ｅ    吸引ダクト
４ｆ    風向調整板
５    ホッパ
６    排気ダクト
６ａ    直立部
６ｂ    湾曲部
６ｃ    放出部
７    排気室
７ａ    吸込口
７ｂ    吐出口
８    排気ファン
１０    モータ
１１    二出力ギアモータ
１２    選別網体
１３    揚穀螺旋体
１３ａ    螺旋翼
１４    排塵ダクト
１５    ガラリ
１６    供給筒
１７    誘導筒
１７ａ    誘導翼
１９    良穀掻出し羽根
２３    屑粒排出口
【図１】
0003845810.tif 000002
【図２】
0003845810.tif 000003
【図３】
0003845810.tif 000004
【図４】
0003845810.tif 000005
【図５】
0003845810.tif 000006
【図６】
0003845810.tif 000007